(57)【要約】【課題】装着位置が多少ズレしても十分な吸収性能が発現されるとともに、ヨレが生じにくく、違和感や液漏れ等の不都合が生じくい吸収性物品を提供すること。【解決手段】肌側シート２、非肌側シート３、及び前後方向に長い形状の吸収性コア４を備え、着用者の液排泄部に対向配置される排泄部対向部Ｂ及び後方に配される後方部Ｃを有する吸収性物品１であり、吸収性コア４は、標準吸収領域４３と、排泄部対向部Ｂにおける幅方向の中央部に配され、該標準吸収領域４３よりも厚みが厚い排泄部中高領域４０とを有しており、排泄部中高領域４０は、吸収性コア４の長手方向に長軸を有する平面視形状の中央肉厚部４１と、中央肉厚部４１の長手方向に沿う両側縁それぞれから外方に膨出する側方肉厚部４２とを有する。【選択図】図１
2015097716.tif 000002
【特許請求の範囲】
【請求項１】
肌側シート、非肌側シート、及びこれら両シート間に位置する、吸収性物品の前後方向に長い形状の吸収性コアを備え、着用者の液排泄部に対向配置される排泄部対向部及び該排泄部対向部より後方に配される後方部を有する吸収性物品であって、
前記吸収性コアは、標準吸収領域と、前記排泄部対向部における幅方向の中央部に配され、該標準吸収領域よりも厚みが厚い排泄部中高領域とを有しており、
前記排泄部中高領域は、前記吸収性コアの長手方向に長い中央肉厚部と、該中央肉厚部の長手方向に沿う両側縁それぞれから外方に膨出する側方肉厚部とを有する、吸収性物品。
【請求項２】
前記肌側シートと前記吸収性コアとが圧搾一体化された線状溝として、前記吸収性コアの長手方向に延びる一対の縦溝を有しており、前記縦溝が、前記側方肉厚部を前記長手方向に縦断するように形成されている、請求項１に記載の吸収性物品。
【請求項３】
前記吸収性物品が、一対のウイング部を有しており、前記排泄部対向部が、該吸収性物品の前後方向において、該一対のウィング部を有する領域であり、前記側方肉厚部が、該排泄部対向部内に存在する、請求項１又は２に記載の吸収性物品。
【請求項４】
前記側方肉厚部が、前記吸収性コアの幅方向の外方に向かって、該吸収性コアの長手方向における長さが減少する形状である、請求項１〜３の何れか１項に記載の吸収性物品。
【請求項５】
前記吸収性コアの長手方向における、前記側方肉厚部の中央位置が、該長手方向における、前記中央肉厚部の中央位置より前方に位置する、請求項１〜４の何れか１項に記載の吸収性物品。
【請求項６】
前記側方肉厚部の坪量が、前記中央肉厚部の坪量より小さく、前記標準吸収領域の坪量より大きい、請求項１〜５の何れか１項に記載の吸収性物品。
【請求項７】
前記中央肉厚部と前記側方肉厚部との間に、前記中央肉厚部及び前記側方肉厚部の何れの坪量よりも坪量が低い低坪量の溝部が形成されている、請求項１〜６の何れか１項に記載の吸収性物品。
【請求項８】
前記側方肉厚部の厚みが、前記中央肉厚部の厚みより小さく、前記標準吸収領域の厚みより大きい、請求項１〜７の何れか１項に記載の吸収性物品。
【発明の詳細な説明】
【技術分野】
【０００１】
本発明は、生理用ナプキン、失禁パッド等の吸収性物品に関する。
【背景技術】
【０００２】
従来、就寝時の使用に適した夜用の生理用ナプキンのように、着用者の前後方向に沿う長手方向の長さが長い吸収性物品においては、着用者の肌との隙間があると、就寝姿勢において、液が肌の表面を伝って臀部に流れてしまい、液漏れにつながる場合があった。
そのため、吸収性物品の吸収体に部分的に厚みの厚い中高部を形成して、肌対向面に隆起部を形成させることによって、身体に対するフィット性を高める技術が知られている（特許文献１参照）。
また、着用者の肌側に向けられる面に、肌側に向かって隆起する表面構造体や突設部を設ける技術も提案されている（特許文献２，３参照）。
【先行技術文献】
【特許文献】
【０００３】
【特許文献１】特開２００６−２３９１６２号公報
【特許文献２】特開２００３−７９６６２号公報
【特許文献３】特開平１１−３３０５４号公報
【発明の概要】
【発明が解決しようとする課題】
【０００４】
しかし、特許文献１のように、中高部を形成した吸収性物品であっても、吸収性物品を装着した際に、身体の前後方向に延びる中心線と、中高部の縦方向に延びる中心線とが一致しないこともあり、そのような位置ズレが生じた場合には、中高部による効果が十分に得られず、横漏れ等の不都合が生じることがあることを知見した。
また、特許文献２，３の吸収性物品を含めて、従来の吸収性物品においては、着用中に、着用者の大腿部によって左右両側からの圧力を受けると、吸収体の両側部が幅方向に圧縮されて、吸収可能な液の容積が低下したり、身体に対するフィット性が低下して漏れやすくなる傾向があった。
【０００５】
本発明の課題は、前述した従来技術が有する欠点を解消し得る吸収性物品を提供することにある。
【課題を解決するための手段】
【０００６】
本発明は、肌側シート、非肌側シート、及びこれら両シート間に位置する、吸収性物品の前後方向に長い形状の吸収性コアを備え、着用者の液排泄部に対向配置される排泄部対向部及び該排泄部対向部より後方に配される後方部を有する吸収性物品であって、前記吸収性コアは、標準吸収領域と、前記排泄部対向部における幅方向の中央部に配され、該標準吸収領域よりも厚みが厚い排泄部中高領域とを有しており、前記排泄部中高領域は、前記吸収性コアの長手方向に長い中央肉厚部と、該中央肉厚部の長手方向に沿う両側縁それぞれから外方に膨出する側方肉厚部とを有する、吸収性物品を提供するものである。
【発明の効果】
【０００７】
本発明の吸収性物品は、装着位置が多少ズレしても十分な吸収性能が発現されるとともに、ヨレが生じにくく、違和感や液漏れ等の不都合が生じくい。
【図面の簡単な説明】
【０００８】
【図１】図１は、本発明の第１実施形態である生理用ナプキンを示す斜視図である。
【図２】図２は、図１の生理用ナプキンの吸収性コアを示す斜視図である。
【図３】図３は、図１のＩＩＩ−ＩＩＩ線断面図である。
【図４】図４は、図１のＩＶ−ＩＶ線断面図である。
【図５】図５は、図１の生理用ナプキンの吸収性コアの概略平面図である。
【図６】図６（ａ）及び図６（ｂ）は、図１に示す生理用ナプキンの吸収性コアの製造に好ましく使用される積繊ドラムの周方向に沿う断面を示す模式図であり、図６（ａ）は、集積用凹部に、吸収性コアの形成材料が堆積する前の状態、図６（ｂ）は、集積用凹部に、吸収性コアの形成材料が堆積した状態を示す図である。
【図７】図７（ａ）〜（ｆ）は、本発明の他の実施形態における吸収性コアを示す平面図である。
【発明を実施するための形態】
【０００９】
以下本発明を、その好ましい実施形態に基づき図面を参照しながら説明する。
本発明の吸収性物品の第１実施形態としての生理用ナプキン１（以下、単にナプキン１ともいう）は、就寝時の使用に適した夜用のナプキンである。
ナプキン１は、図１に示すように、前後方向に長い形状の吸収性本体６と、一対のウイング部７，７と、一対の後方フラップ部８，８とを有している。生理用ナプキン等の吸収性物品に関し、「前後方向」とは、着用時に着用者の前後方向と一致する方向である。
ナプキン１は、その前後方向Ｘに、前方部Ａ、液排泄部対向部Ｂ及び後方部Ｃを有しており、液排泄部対向部Ｂにおける吸収性本体６の左右両側に一対のウイング部７，７、後方部Ｃにおける吸収性本体６の左右両側に一対の後方フラップ部８，８を有していて、いわゆる夜用として好ましく使用されるナプキンである。夜用ナプキンとは、就寝時に使用されることを想定しており、全長が３０ｃｍ以上であることが好ましいものである。
【００１０】
本発明の吸収性物品において、排泄部対向部Ｂは、幅方向の中央部に、着用者の液排泄部（膣口等）が対向配置される部分であり、前方部Ａは、液排泄部対向部Ｂより着用者の前側（腹側）に配される部分であり、後方部Ｂは、液排泄部対向部Ｂより着用者の背中側に配される部分である。排泄部対向部Ｂは、本実施形態のナプキン１のようにウイング部を有する場合には、吸収性物品の前後方向（吸収性本体の長手方向に同じ。図中のＸ方向）においてウイング部を有する領域（ウイング部の前後方向一方側の付け根と他方側の付け根とに挟まれた領域）である。ウイング部を有しない吸収性物品における排泄部対向部は、吸収性物品が３つ折りの個装形態に折り畳まれた際に生じる、該吸収性物品を横方向（吸収性物品の幅方向、図中のＹ方向）に横断する２本の折曲線（図示せず）について、該吸収性物品の縦方向の前端から数えて第１折曲線と第２折曲線とに囲まれた領域である。また、本明細書において、肌対向面は、吸収性物品又はその構成部材における着用時に着用者の肌側に向けられる面であり、非肌対向面は、吸収性物品又はその構成部材における着用時に着用者の肌側とは反対側（衣類側）に向けられる面である。
【００１１】
ナプキン１は、図３又は図４に示すように、肌対向面を形成する肌側シート２、非肌対向面を形成する非肌側シート３、及びこれら両シート２，３間に配置された吸収性コア４を備えている。肌側シート２は、液透過性の表面シート２ａ及びその両側に接合された一対の立体ガード形成用シート２ｂ，２ｂを備えている。液透過性の表面シート２ａは、吸収性本体６の幅方向の中央部に、吸収性本体６の全長に亘るように配されている。立体ガード形成用シート２ｂは、吸収性本体６の幅方向中央側に位置し外方に向かって折り返された折り返し部２１を有し、該折り返し部２１からやや幅方向の外方に位置する接合部２２において表面シート２ａ上に接合されている。立体ガード形成用シート２ｂは、立体ガードの自由端を形成する側縁部２３の近傍に立体ガード形成用の弾性部材２４を有しており、着用時には、その弾性部材２４の収縮力により、液排泄部対向部Ｂにおける前記接合部２２から側縁部２３までの間が着用者の肌側に向かって起立して立体ガード１０を形成する。立体ガード１０は、少なくとも、後述する排泄部中高領域４０の存在領域において起立可能となっている。本実施形態のナプキン１では、前方部Ａの一部及び後方部Ｂの大部分においては、立体ガード形成シート２ｂが表面シート側に固定されて起立しない非起立部分となされている。
【００１２】
一対のウイング部７，７及び一対の後方フラップ部８，８は、吸収性コア４の両側縁から延出した立体ガード形成用シート２ｂ及び非肌側シート３からなる。一対のウイング部７それぞれの非肌側シート３からなる面には、ショーツのクロッチ部の非肌対向面に固定するためのウイング部粘着部７１が設けられ、吸収性本体６の非肌対向面には、該本体６をショーツの内面に固定するための本体粘着部（図示せず）が設けられている。後方フラップ部８は、着用時に、ショーツの内面（肌側に向けられる面）上に配される。後方フラップ部８の非肌側シート３からなる面にも、ショーツの内面に固定するための粘着部が設けられていることが好ましい。肌側シート２と非肌側シート３とは、吸収性コア４の周縁部より外方が接着剤で互いに接合されていると共にナプキン１の周縁部において熱シールにより接合されている。
【００１３】
ナプキン１における吸収性コア４は、パルプ繊維等の繊維材料からなる繊維集合体又は該繊維集合体に高吸水性ポリマーを保持させたものからなる。吸収性コア４は、上下両面を、ティッシュペーパーや透水性の不織布からなるコアラップシート（図示せず）によって被覆されている。コアラップシートは、吸収性コアの形成材料の漏れ出しを防止したり、吸収性コアの保形性を高める目的で使用される。肌側シート２と、吸収性コア４の肌対向面側を被覆するコアラップシートとの間、及び非肌側シート３と吸収性コア４の非肌対向面側を被覆するコアラップシートとの間は、ドット、スパイラル、ストライプ等のパターン塗工された接着剤により互いに接合されていることが好ましい。
【００１４】
図２に示すように、ナプキン１における吸収性コア４は、ナプキン１の前後方向Ｘと同方向に長い形状を有する。したがって、吸収性コア４の長手方向は、ナプキン１の前後方向Ｘと同方向であり、吸収性コア４の横方向は、ナプキン１の前後方向Ｘと直交する方向と同方向である。
また、吸収性コア４は、図２に示すように、標準吸収領域４３と、それよりも厚みが大きい排泄部中高領域４０を有している。ナプキン１において、標準吸収領域４３は、前方部Ａ、排泄部対向部Ｂ及び後方部Ｃに存在している。排泄部中高領域４０は、ナプキン１の排泄部対向部Ｂにおける幅方向Ｙの中央部に配されている。
また、排泄部中高領域４０は、図２及び図５に示すように、吸収性コアの長手方向Ｘに長い縦長の平面視形状を有する中央肉厚部４１と、中央肉厚部４１の長手方向に沿う両側縁それぞれから外方に膨出する側方肉厚部４２，４２とを有する。また、後方部Ｃにおける幅方向Ｙの中央部に、排泄部中高領域４０における中央肉厚部４１と同様に、標準吸収領域４３よりも厚みが厚い後方中高領域４９を有している。
【００１５】
ナプキン１においては、表面シート２ａの下に、排泄部中高領域４０の中央肉厚部４１が存在することによって、排泄部対向部Ｂにおける肌対向面の幅方向中央部に、着用者の肌側に向かって突出する前方隆起部１１が形成されており、また、表面シート２ａの下に、後方中高領域４９が存在することによって、後方部Ｃにおける肌対向面の幅方向中央部に、着用者の肌側に向かって突出する後方隆起部１２が形成されている。後方隆起部１２は、ナプキン１の着用時に着用者の臀裂に対向配置されることが好ましい。
【００１６】
排泄部中高領域４０は、標準吸収領域４３と比較して増厚された領域、即ち、標準吸収領域４３における厚みよりも厚みが厚い領域であり、排泄部対向部Ｂに形成されている。
排泄部中高領域４０の中央肉厚部４１は、図５に示すように、吸収性コア４の長手方向Ｘに延びる直線状の側端部４１ｓ，４１ｓを有し、長手方向Ｘの前端側及び後端側が、前方又は後方に向かって幅方向Ｙの長さが漸減する形状となっている。より具体的には、中央部肉厚部４１は、円弧状の前後端部４１ａ，４１ｂを有し、全体として、長手方向Ｘに長軸を有する長円状の平面視形状を有している。
【００１７】
排泄部中高領域４０の中央肉厚部４１は、排泄部対向部Ｂのみに形成されていても良いが、図１又は図２に示すように、排泄部対向部Ｂから後方部Ｃの一部に亘って延在していることが好ましい。
また、本実施形態における中央肉厚部４１は、吸収性コア４の幅方向に延びる溝部４４及び吸収性コア４の長手方向に延びる溝部４６によって分割されており、それによって、中央肉厚部４１には、複数の小吸収部４５が形成されている。本実施形態における中央肉厚部４１においては、吸収性コア４の長手方向Ｘに沿って小吸収部４５が５個並んでおり、吸収性コア４の幅方向Ｘに沿って小吸収部４５が２個並んでおり、合計１０個の小吸収部４５が形成されている。
【００１８】
標準吸収領域４３は、増厚された中高領域（排泄部中高領域４０，後方中高領域４９）以外の領域である。本実施形態における、標準吸収領域４３は、排泄部中高領域４０と後方中高領域４９とを纏めて取り囲む吸収性コア４の周辺領域と、排泄部中高領域４０と該後方中高領域４９との間に位置する中間領域５０とに分布している。標準吸収領域４３は、基本的に厚みが略均一であり、本実施形態における標準吸収領域４３も、後述する溝部５１，５２や線状溝６０部分を除いて厚みが略均一である。
【００１９】
排泄部中高領域４０の厚みは、溝部（溝部４４、溝部４６）以外の部分の厚みであり、例えば、中央肉厚部４１の厚みは、小吸収部４５の厚みと同じである。本実施形態における吸収性コア４は、図２に示すように、標準吸収領域４３にも、吸収性コア４の幅方向Ｙに延びる溝部５１や吸収性コア４の長手方向Ｙに延びる溝部５２が形成されているが、排泄部中高領域４０や後方中高領域４９の厚みと対比する標準吸収領域４３の厚みは、好ましくは吸収性コア４の周辺領域における、溝部５１，溝部５２等の溝部が存在しない部分における厚みである。
また、後述する線状溝６０のように、表面シートから吸収体に至る防漏溝が設けられている場合、標準吸収領域４３や中高領域（排泄部中高領域４０，後方中高領域４９）等の、吸収性コアの各部の厚みを測定する際には、そのような防漏溝部分を含まないように測定する。
【００２０】
中央肉厚部４１の厚みは、ナプキン１の肌対向面に、肌に向かって突出する前方隆起部１１を形成して排泄部対向部Ｂにおける液の吸収性等を向上させる観点等から、標準吸収領域４３の厚み（好ましくは吸収性コア４の周辺領域の厚み）の、好ましくは１５０％（即ち、１．５倍のこと。以下同じ）以上、より好ましくは２００％以上であり、また、好ましくは５００％以下、より好ましくは３００％以下であり、また、着用時の着用時における違和感を抑える観点から、好ましくは１５０％以上５００％以下、より好ましくは２００％以上３００％以下である。また、中央肉厚部４１の厚みと標準吸収領域４３の厚み（好ましくは吸収性コア４の周辺領域の厚み）との厚みの差（前者−後者）は、好ましくは２ｍｍ以上、より好ましくは３．５ｍｍ以上であり、また、好ましくは８ｍｍ以下、より好ましくは６ｍｍ以下であり、また、好ましくは３ｍｍ以上８ｍｍ以下、より好ましくは３．５ｍｍ以上６ｍｍ以下である。このような好ましい厚み比や厚みの差は、後方中高領域４９の厚みと標準吸収領域４３の厚み（好ましくは吸収性コア４の周辺領域の厚み）についても同様である。
なお、中央肉厚部４１の全範囲において上記厚みの関係になっていることが好ましいが、中央肉厚部４１の厚み方向に傾斜が設けられているような場合においては、最も厚い部分において上記の関係となっていればよい。
【００２１】
吸収性コアの各部の厚みは下記方法によって測定される。なお、本実施形態のナプキン１のように、吸収性コアがコアラップシートで被覆されている場合、吸収性コアの各部の厚みは、該吸収性コアがコアラップシートに包まれている状態で測定する。
＜吸収性コアの各部の厚みの測定方法＞
測定対象物である吸収性コアを水平な場所にシワや折れ曲がりがないように静置し、５ｃＮ／ｃｍ2の荷重下での厚みを測定する。本発明における厚みの測定には、厚み計 PEACOCK DIAL UPRIGHT GAUGES R5-C(OZAKI MFG.CO.LTD.製）を用いた。このとき、厚み計の先端部と測定対象物における測定部分との間に、平面視円形状又は正方形状のプレート（厚さ５ｍｍ程度のアクリル板）を配置して、荷重が５ｃＮ／ｃｍ2となるようにプレートの大きさを調整する。
【００２２】
側方肉厚部４２，４２も、中央肉厚部４１と同様に、標準吸収領域４３における厚みよりも厚みが厚い。本実施形態においては、側方肉厚部４２，４２のそれぞれにも、図２及び図３に示すように、吸収性コア４の幅方向に延びる溝部４７が形成されており、それによって、側方肉厚部４２，４２のそれぞれに、複数の小吸収部４８が形成されている。
【００２３】
側方肉厚部４２の厚みは標準吸収領域４３の厚み（好ましくは吸収性コア４の周辺領域の厚み）の、好ましくは１２０％以上、より好ましくは１５０％以上であり、また、好ましくは２００％以下、より好ましくは１８０％以下であり、また、好ましくは１２０％以上２００％以下、より好ましくは１５０％以上１８０％以下である。また、側方肉厚部４２の標準吸収領域４３の厚み（好ましくは吸収性コア４の周辺領域の厚み）との厚みの差（前者−後者）は、好ましくは２．４ｍｍ以上、より好ましくは４ｍｍ以上であり、また、好ましくは７．２ｍｍ以下、より好ましくは６．４ｍｍ以下であり、また、好ましくは２．４ｍｍ以上７．２ｍｍ以下、より好ましくは４ｍｍ以上６．４ｍｍ以下である。側方肉厚部４２に、前述した溝部４７や後述する線状溝６０（縦溝６１）等を有する場合の側方肉厚部４２の厚みは、それらの溝部や線状溝以外の部分の厚みを意味し、側方肉厚部４２の厚みと対比する標準吸収領域４３の厚みは、好ましくは吸収性コア４の周辺領域における、溝部５１，溝部５２等の溝部が存在しない部分における厚みである。
【００２４】
本実施形態における排泄部中高領域４０及び後方中高領域４９は、それぞれ、標準吸収領域４３よりも、吸収性コアの形成材料（以下「コア材料」ともいう）の坪量を増やして形成されている。即ち、排泄部中高領域４０における、溝部４４，４６，４７，５３以外の部分、及び後方中高領域４９は、コア材料の坪量が、標準吸収領域４３における坪量よりも大きい。本実施形態における吸収性コア４は、コア材料の坪量に差を設けて厚み差を設けてあるため、坪量の均一な吸収性コアの一部を圧縮して厚み差を設ける場合とは異なり、吸収性コア４は、標準吸収領域４３が柔軟であり、全体としても柔軟である。
【００２５】
後方中高領域４９の厚みは、ナプキン１の肌対向面に、肌に向かって突出する後方隆起部を形成して、身体（好ましくは臀裂）に対するフィット性を向上させる観点等から、吸収性コア４の標準吸収領域４３の厚みの、好ましくは１３０％以上、より好ましくは１８０％以上であり、また、好ましくは３００％以下、より好ましくは２３０％以下であり、また、好ましくは１３０％以上３００％以下、より好ましくは１８０％以上２３０％以下である。また、後方中高領域４２の厚みと吸収性コア４の周辺領域４３の厚みとの厚みの差（前者−後者）は、好ましくは０．９ｍｍ以上、より好ましくは２．７ｍｍ以上であり、また、好ましくは４．７ｍｍ以下、より好ましくは４．０ｍｍ以下であり、また、好ましくは０．９ｍｍ以上４．７ｍｍ以下、より好ましくは２．７ｍｍ以上４．０ｍｍ以下である。
【００２６】
また、本実施形態における側方肉厚部４２は、それぞれ、標準吸収領域４３よりも、コア材料の坪量を増やして形成されている。即ち、側方肉厚部４２における、溝部４７以外の部分は、コア材料の坪量が、標準吸収領域４３における坪量よりも大きくなっている。
【００２７】
また、本実施形態のナプキン１における中央肉厚部４１は側方肉厚部４２よりも厚みが大きく、コア材料の坪量が高くなっている。中央肉厚部４１の厚みは側方肉厚部４２の厚みの１２０％以上、特に１５０％以上となっていることが、吸収性能と着用感の両立の観点から好ましく、３００％以下、特に２５０％以下であることが段差による違和感を着用感に与えにくい観点から好ましい。具体的には、中央肉厚部４１の厚みは側方肉厚部４２の厚みの１２０％以上３００％以下、特に１５０％以上２５０％以下であることが好ましい。
【００２８】
排泄部中高領域４０は、幅方向中心部から両側部方向に向かって厚みが薄くなる傾斜を有していることが、着用時の柔軟な感触を与える観点から好ましい。このような場合、上述した中央肉厚部４１と側方肉厚部４２の厚み比の関係は、それぞれの肉厚部における最も厚い部分でそのようになっていれば良い。また、中央肉厚部４１の最も厚みが大きい部分の、側部肉厚部４２の最も厚みが小さい部分の厚みに対する比（前者／後者）は、排泄部に中高部が可能な限り隙間なく密着することから１．３以上、特に１．６以上であることが好ましく、また、着用時の違和感を与え難くする観点から４以下、特に３以下であることが好ましい。より具体的には、中央肉厚部４１の最大厚み部と側方肉厚部４２の最少厚みの比（前者／後者）は、１．３以上４以下、特に１．６以上３以下であることが好ましい。
【００２９】
また、本実施形態の吸収性コア４においては、中央肉厚部４１における溝部４４，４６及び側方肉厚部４２における溝部４７は、何れも、コア材料を、中央肉厚部４１及び側方肉厚部４２における他の部位より減らして形成されている。即ち、中央肉厚部４１は、溝部４４，４６におけるコア材料の坪量が、小吸収部４５におけるコア材料の坪量よりも低くなっており、また、側方肉厚部４２は、溝部４７におけるコア材料の坪量が、小吸収部４８におけるコア材料の坪量よりも低くなっている。
また、坪量の均一な部分の一部を圧縮して形成した溝部を設ける場合とは異なり、中央肉厚部４１は、溝部４４，４６におけるコア材料の密度が、小吸収部４５における密度よりも低くなっており、また、側方肉厚部４２も、溝部４７におけるコア材料の密度が、小吸収部４８における密度よりも低くなっている。
【００３０】
溝部４４，４６，４７，５３におけるコア材料の坪量は、溝部とそれ以外の部分との境界を切断して切り出し、その細幅のサンプルの質量を、そのサンプルの肌対向面側の面の面積で除して求める。溝部以外の部分の坪量は、溝部４４，４６，４７，５３以外の部分を切り出したサンプルの質量を、そのサンプルの肌対向面側の面の面積で除して求める。
【００３１】
なお、本実施形態のナプキン１は、吸収性コア４の肌対向面には、坪量を減らして形成した溝部４４，４６，４７，５１〜５３が形成されているが、吸収性コア４の非肌対向面側には、それらの溝部によって分断されていない連続層５９が形成されている。
【００３２】
本実施形態のナプキン１によれば、吸収性コア４が、液排泄部対向部Ｂに、中央肉厚部４１とその両側に位置する側方肉厚部４２，４２とからなる排泄部中高領域４０を有するため、中央肉厚部４１を有する部分が、着用者の液排泄部にフィットし、液排泄部から排泄された経血等の排泄液が迅速に吸収される。また、ナプキン１をショーツ等の衣類に固定して装着した際に、ナプキン１の身体の前後方向に延びる中心線と、中央肉厚部４１の長手方向に延びる中心線とが一致しない場合であっても、側方肉厚部４２，４２の存在によって、幅方向からの漏れが抑制され易くなるとともに、側方肉厚部４２が排泄部中央領域Ｂにしっかりと装着される結果、十分な吸収性能が発現され、排泄点のズレによる吸収性能の低下といった不都合は生じ難い。
また、側方肉厚部４２，４２の存在により、着用中に、着用者の大腿部によって左右両側からの圧力を受けても、吸収性コア４の両側部や吸収性本体６の両側部にヨレが生じにくく、吸収性コア４が幅方向に波打つように収縮したり、不規則な皺が生じたりすることによる、吸収可能な液の容積の低下や身体に対するフィット性の低下、違和感の発生が生じにくい。
このように、本実施形態の生理用ナプキン１は、装着位置が多少ズレしても十分な吸収性能が発現されるとともに、ヨレが生じにくく、違和感や液漏れ等の不都合が生じくい。
【００３３】
また、本実施形態のナプキン１においては、中央肉厚部４１が、溝部４４，４６を有し、複数の小吸収部４５に分割されているため、ナプキン１のショーツ等の衣類に固定して装着した際に、柔軟に変形する。しかも、溝部４４，４６におけるコア材料の坪量が、小吸収部４５におけるコア材料の坪量よりも低いため、中央肉厚部４１は、エンボス加工等による圧縮によって形成した溝部を有する場合に比して、溝に沿った屈曲だけではなく、高い自由度を持って柔軟に変形する屈曲部として機能するものとなる。それにより、生理用ナプキン１は、着用者の動作に対する追従性に一層優れたものとなる。
【００３４】
また、側方肉厚部４２が、溝部４７を有し、複数の小吸収部４８に分割されているため、排泄部対向部における左右両側においても柔軟な変形をすることが可能である。また、本実施形態のように、中央肉厚部４１よりも坪量が小さい側方肉厚部４２である場合には、着用時における左右両外方からの力がナプキン１の内側へ向けて加わった場合であっても、側方肉厚部４２が中央吸収部を着用者肌側へと押し当てるように、柔軟な変形をする。しかも、溝部４７におけるコア材料の坪量が、小吸収部４８におけるコア材料の坪量よりも低いため、側方肉厚部４２は、エンボス加工等による圧縮によって形成した溝部を有する場合に比して、着用者から加わる幅方向斜め外方から内方への力を緩衝しながら中央肉厚部４２に伝えることが可能となる。したがって、中央肉厚部４２のヨレを防ぎながら、着用者肌側へ適度な力で湾曲し、当接されるので、不快感を抑制することが可能なものとなる。それにより、生理用ナプキン１は、着用者の動作に対する追従性と柔らかい装着感を与えながら、吸収性能に一層優れたものとなる。
【００３５】
本実施形態のナプキン１における吸収性本体６の肌対向面（表面シート２ａ側の面）には、図１及び図４に示すように、肌側シート２である表面シート２ａ及び吸収性コア４が非肌側シート３側に向かって一体的に凹陥してなる線状溝６０が形成されており、該線状溝６０は、中央肉厚部４１の両外側を、吸収性コア４の長手方向Ｘに沿って延びる縦溝６１と、前方部Ａ及び後方部Ｃに、それぞれ横方向Ｙに延びるように形成された前方溝６２及び後方溝６３と、中央肉厚部４１と後方中高領域４９との間の中間領域５３に、幅方向Ｙに延びるように形成された中間横溝６４とを有している。線状溝は、熱を伴うか又は伴わない圧搾加工（いわゆるエンボス加工）によって形成されている。線状溝においては、表面シート２ａと吸収性コア４とが一体化（結合）している。なお、本実施形態のナプキン１及びその吸収性コア４は、図１に示すように、吸収性本体６を幅方向Ｙに２等分する中心線（図示せず）に対して左右対称に形成されている。
【００３６】
そして、本実施形態のナプキン１においては、図１に示すように、表面シート２ａ（肌側シート２）と吸収性コア４とが圧搾一体化された線状溝６０としての前記一対の縦溝６１，６１が、それぞれ、前述した側方肉厚部４２，４２を、吸収性コア４の長手方向Ｘに縦断するように形成されている。
側方肉厚部４２，４２を、表面シート２ａ（肌側シート２）と吸収性コア４とが圧搾一体化された線状溝である縦溝６１，６１が縦断していることによって、吸収性コア４の両側部や吸収性本体６の両側部に前述したヨレが一層生じにくくなり、また、中央肉厚部４２に対して着用時に幅方向外側から内側へ向かって加わる力によるヨレや過度な肌への押し付け力の発生を抑制できる。このため、ナプキン１は装着時のヨレによる吸収性能低下抑制能力が一層向上したものとなる。側方肉厚部４２それぞれは、吸収性コア４の幅方向Ｙにおける、縦溝６１を挟む両側それぞれに縦溝６１が形成されていない部分を有することが好ましく、側方肉厚部４２を幅方向Ｙに２等分する中央部付近に縦溝６１が形成されていることがより好ましい。縦溝６１は、吸収性コア４の長手方向Ｘと完全に平行なものに制限されない。
【００３７】
なお、本実施形態における中間横溝６４は、図１に示すように、後方に向かって凸に湾曲した形状であり、中央肉厚部４１は、前後左右に線状溝が形成されている。また、一対の縦溝６１、前方溝６２及び後方溝６３は、中央肉厚部４１及び後方中高領域４９の周囲に環状の線状溝を形成している。そのため、ナプキン１の周囲から液漏れが効果的に防止される。
【００３８】
線状溝の幅（長さ方向と直交する方向の長さ）及び深さは、この種の吸収性物品における線状溝と同様に設定すれば良い。本実施形態では、線状溝の幅は、吸収体の溝４２、４４，４６，４７、５３の幅よりも広くなされている。また、線状溝における「線状」とは、溝（凹陥部）の形状が平面視において直線に限られず、曲線を含み、各線は、連続線でも破線でも良い。例えば、線状溝は、不連続な多数の点エンボスのなす列から構成されていても良い。
【００３９】
本実施形態のナプキン１では、排泄部対向部Ｂにおいて、縦溝６１よりも幅方向外側の位置の吸収体に、吸収性材料の坪量を減らした溝５２が存在している。排泄部対向部Ｂで幅方向外側から内側に向かう力が加わった際に、溝５２によって吸収体側部が柔軟に変形するが、縦溝６１によってその変形が縦溝６１よりも内側へ影響を及ぼしにくくなっている。このため、中央肉厚部４１ではヨレが生じ難く、着用者肌側へ適正な形で突出しやすくなることから、装着感と吸収性能を両立させる点から好ましい。なお、本実施形態では溝５２が標準吸収部に設けられていることから、縦溝６１による変形抑制効果が高いが、溝５２は側部肉厚部４２に設けられていても良い。
【００４０】
本実施形態における側方肉厚部４２は、ナプキン１の前後方向Ｘにおいて、一対のウイング部７，７を有する領域である排泄部対向部Ｂ内に存在する。ここでいう、排泄部対向部Ｂ内に存在するとは、側方肉厚部４２の全体が、排泄部対向Ｂ内に存在することを意味する。
側方肉厚部４２が、排泄部対向部Ｂ内に存在することにより、ウイング部７，７をショーツ側に折り返して装着する操作をし易くなり、ナプキン１の排泄部対向部Ｂを着用者の排泄部に適正に配することが容易となる。また、ウイング７，７の折り返し操作とショーツの着用によって、側方肉厚部４２が中央肉厚部４１を幅方向内側へと押す力が発生し、中央肉厚部４１が着用者の排泄部へ密着され易くなる。このために、排泄物の幅方向側方からの漏れ抑制効果が高いものとなる。
【００４１】
また、本実施形態における側方肉厚部４２は、図５に示すように、吸収性コア４の幅方向Ｙの外方に向かって、該吸収性コア４の長手方向における長さが減少する形状である。より具体的には、吸収性コア４の平面視において略台形状をなしている。
側方肉厚部４２が、吸収性コア４の幅方向Ｙの外方に向かって、該吸収性コア４の長手方向における長さＬｘ（図５参照）が減少する形状であると、排泄部対向部Ｂの柔軟性を大きく損なうことなく、着用者に違和感を与えにくいとともに、着用中におけるナプキン１のズレによる吸収性能低下を防ぐことができる。
吸収性コア４の幅方向Ｙの外方に向かって、該吸収性コア４の長手方向における長さＬｘが減少する形状は、図５に示す形状に制限されず、図７（ａ）〜図７（ｆ）に示すような形状であっても良い。
図７（ｂ）及び図７（ｃ）に示す側方肉厚部４２は、突出方向の先端が円弧状に形成されており、図７（ａ）及び図７（ｄ）に示す側方肉厚部４２は、突出方向の先端に、吸収性コアの長手方向Ｘに沿う直線状の縁部を有している。
側方肉厚部４２は、突出方向の先端に直線状の縁部を有することが、幅方向外方から内方への力が加わった際でもヨレが防止できる点から好ましい。
【００４２】
また、側方肉厚部４２は、突出方向の先端の位置が、吸収性コア４の長手方向Ｘにおいて、ウイング部の突出方向の先端の位置と、長手方向Ｘにおいて重なることが好ましい。具体的には、ウイング部７が長手方向に対称形である場合には、側方肉厚部４２の幅方向縁部の先端部分が、ウイング部７の、長手方向Ｘの中心位置に位置することが好ましい。一方、ウィング部７が長手方向に非対称の場合には、ウィング部７の幅方向の最も外側にある位置に、側方肉厚部４２における突出方向の先端の位置が長手方向において重なるようになっていることが好ましい。このような配置とすることで、ウィング部７の折り曲げ操作とショーツへの固定操作がし易いので、排泄部対向部Ｂを着用者の排泄部に対して適正に装着することが容易となるの点から好ましい。側方肉厚部４２における、突出方向の先端の位置は、幅方向の最も外方に位置する部位であるが、本実施形態のように、突出方向の先端に、吸収性コアの長手方向Ｘに沿う直線状の縁部がある場合には、当該直線部分の長手方向Ｘの中心位置とする。一方、ウイング部７の長手方向Ｘの中心位置は、個々のウイング部７の一対の付け根どうし間の距離を２等分する位置である。側方肉厚部４２の前記先端の位置が、ウイング部７の長手方向Ｘの中心位置に位置するという表現には、側方肉厚部４２の前記先端の位置の、ウイング部７の長手方向Ｘの中心位置からのズレが、ウイング部の付け根どうし間の距離の１０％以内も含む。
【００４３】
また、本実施形態のナプキン１においては、図５に示すように、ナプキン１の長手方向Ｘにおける、側方肉厚部４２の中央位置４２ｃが、ナプキン１の長手方向Ｘにおける、中央肉厚部４１の中央位置４１ｃより前方に位置している。女性の排泄部（膣口）は股下部に位置しているが、例えば夜用ナプキンでは、就寝時にナプキン後方端部からの漏れが問題となることが多い。このように、側方肉厚部４２を、中央肉厚部４１の前寄りに形成することで、排泄部に中央肉厚部４１を密着させ、排泄部対向部Ｂにおける吸収性能を高めるとともに、後方寄りに排泄部対向部Ｂよりも細長い中央肉厚部４１が臀裂前端部近傍までの着用者の曲線形状に沿った密着状態を形成し易くなっており、その結果、ナプキン１後端部からの漏れを抑制できる点から好ましい。中央肉厚部４１と側方肉厚部４２の長手方向Ｘの中心位置４１ｃ，４２ｃ間の距離Ｌ３は、中央肉厚部４１の全長Ｌ２の好ましくは３％以上、より好ましくは５％以上であり、また、好ましくは４０％以下、より好ましくは２０％以下である。
【００４４】
また、中央肉厚部４１は、長軸の長さＬ２と短軸の長さＬ４との比（Ｌ２／Ｌ４）が、好ましくは１．５以上、より好ましくは２以上であり、また、好ましくは１５以下、より好ましくは１０以下である。なお、長軸及び短軸の長さは、それぞれ、中央肉厚部４１の長手方向及び幅方向それぞれで最も長い位置での距離を指す。
また、側方肉厚部４２の長手方向Ｘにおける全長Ｌ１は、排泄部中高領域４０又は中央肉厚部４１の全長Ｌ２の、好ましくは１０％以上、より好ましくは２０％以上であり、また、好ましくは８０％以下、より好ましくは７０％以下であり、また、好ましくは１０％以上８０％以下、より好ましくは２０％以上７０％以下である。
【００４５】
また、本実施形態における吸収性コア４においては、図２及び図４に示すように、中央肉厚部４１と側方肉厚部４２，４２との間に、中央肉厚部４１及び側方肉厚部４２，４２の何れの坪量（コア材料の坪量）よりも坪量が低い低坪量の溝部５３が形成されている。そのため、幅方向外側から内側に向かう力が加わった場合において、柔軟な変形を可能にするとともに、当該力を中央肉厚部４１に直接伝えにくくする緩衝領域として機能しうるため、吸収体のヨレを防ぐことが可能となる。
【００４６】
また、本実施形態における吸収性コア４は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００４７】
上述したナプキン１の吸収性コア４は、図６（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００４８】
また、図６（ａ）に示すように、集積用凹部５５の底面５６の一部には、排泄部中高領域４０及び後方中高領域４９を形成するための２つの凹部５６ｂ，５６ｃが形成されている。また、凹部５６ｂの底部には、中央肉厚部４１を形成する部分と、側方肉厚部４２，４２を形成する部分とで深さを異ならせてあり、また、中央肉厚部４１や側方肉厚部４２に溝部４４，４６，４７を形成するための難通気性部材５７及び中央肉厚部４１と側方肉厚部４２との間に溝部５３を形成するための同様の難通気性部材が配置されている。また、集積用凹部５５の底面５６の凹部５６ｂ，５６ｃ以外の部分には、溝部５１，５２を形成するための難通気性部材５８が形成されている。難通気性部材５７，５８は、集積用凹部５５の底面から突出するように固定されており、非通気性部材であっても良く、例えば金属やプラスチック、セラミック等からなる。
【００４９】
積繊ドラムを備えた公知の積繊装置と同様に、集積用凹部５５の底面から吸引しつつ、ダクト内に、パルプ繊維等のコア材料を供給することによって、図６（ｂ）に示すように、コア材料が集積用凹部５５内に所定形状に堆積する。その堆積物４００を、集積用凹部５５から離型することで、吸収性コア４が得られる。吸収性コア４は、コアラップシートで被覆する前又は被覆した後、一対のロール間に通すこと等により加圧し適度に圧縮させる。これにより、凹部５６ｂにおける、難通気性部材上に堆積したコア材料からなる部分が、坪量及び密度が相対的に小さい溝部４４，４６，４７，５３となり、各凹部５６ｂにおける難通気性部材を有しない底面上に堆積した部分が、坪量及び密度が相対的に大きい小吸収部４５，４８となる。同様に、凹部５６ｂ，５６ｃ以外の部分においては、難通気性部材５８上に堆積したコア材料からなる部分が、坪量及び密度が相対的に小さい溝部５１，５２となり、難通気性部材５８を有しない底面上に堆積した部分が、坪量及び密度が相対的に大きい小吸収部４５，４８となる。吸水性ポリマーを含む吸収性コアを製造する場合、ダクトの途中に吸水性ポリマーの導入部を設けることが好ましい。
【００５０】
表面シート２ａ、立体ギャザー形成用シート２ｂ、非肌側シート３としては、当該技術分野において従来用いられてきたものと同様のものを特に制限なく用いることができる。例えば、表面シート２ａとしては、液透過性を有する不織布や、穿孔フィルムを用いることができる。非肌側シート３としては、合成樹脂製の液不透過性フィルムや、スパンボンド−メルトブローン−スパンボンド積層不織布等の耐水圧が高い撥水性の不織布を用いることができる。また、立体ガード形成用シート２ｂとしては、耐水圧が高い撥水性の不織布、例えば、スパンボンド−メルトブローン−スパンボンド積層不織布等を用いることができる。
【００５１】
以上、本発明をその好ましい実施形態に基づき説明したが、本発明は前記実施形態に制限されない。
例えば、上述した実施形態のナプキン１においては、中央肉厚部４１の平面視形状は、長円状に代えて、長方形状や楕円状であっても良いが、前後縁部をなす線がそれぞれ、長手方向外側に向かって凸の曲線である長円状又は楕円状であることが好ましい。長円状又は楕円状の中央肉厚部４１は、長手方向の前端４１ａと後端４１ｂとで曲率半径が異なっていても良い〔図７（ｂ）参照〕。また、吸収性コア４は、例えば、図７（ｄ）に示すように、中央肉厚部４１と側方肉厚部４２との間に溝部５３を有しないものであってもよい。その場合、コア材料の坪量や厚みの変化する部分を、中央肉厚部４１と側方肉厚部４２との間の境界とすることもできる。また、本発明における中央肉厚部４１及び側方肉厚部４２は、コア材料の坪量が同じであっても良いし、厚みが同じであっても良いし、コア材料の坪量及び厚みの両者が同じであっても良い。
【００５２】
また、上述したナプキン１の中央肉厚部４１及び側方肉厚部４２は、いずれも、吸収性コアの幅方向に延びる溝部４４，４７及びそれによって画成された複数の小吸収部４５，４８を有していたが、中央肉厚部４１及び側方肉厚部４２の何れか一方及び双方が、そのような溝部を有しないものであっても良い。また、中央肉厚部４１は、全域に亘って厚み及び坪量が等しく、小吸収部４５が全く形成されていないものであっても良い。また、後方中高領域４９は、存在しなくても良い。
【００５３】
また、図７（ｅ）に示すように、中央肉厚部４１の両側に一対以上の側方肉厚部４２を設けても良い。また、中央肉厚部４１の長手方向Ｘの何れか一方の端部、例えば中央肉厚部４１の前端部に一対の側方肉厚部４２が形成されていても良い〔図７（ｆ）参照〕。
【００５４】
また、吸収性コアは、パルプ繊維等の繊維材料のみからなるものであっても良いし、繊維材料と高吸水性ポリマーとの両者を含むものであっても良い。繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。尚、吸収性コアには、高吸水性ポリマー以外に、消臭剤や抗菌剤等を必要に応じて配合しても良い。
【００５５】
また、排泄部中高領域は、厚みの均一な大型の吸収性構造体の一部に、別に製造した小型の吸収性構造体を積層して形成されていても良い。
【００５６】
また、本発明の吸収性物品は、生理用ナプキンの他、パンティライナー（おりものシート）、失禁パッド、使い捨ておむつ等の他の吸収性物品であっても良い。上述した一の実施形態における説明省略部分及び一の実施形態のみが有する要件は、それぞれ他の実施形態に適宜適用することができ、また、各実施形態における要件は、適宜、実施形態間で相互に置換可能である
【００５７】
上述した実施形態に関し、本発明は更に以下の吸収性物品を開示する。
＜１＞  肌側シート、非肌側シート、及びこれら両シート間に位置する、吸収性物品の前後方向に長い形状の吸収性コアを備え、着用者の液排泄部に対向配置される排泄部対向部及び該排泄部対向部より後方に配される後方部を有する吸収性物品であって、
前記吸収性コアは、標準吸収領域と、前記排泄部対向部における幅方向の中央部に配され、該標準吸収領域よりも厚みが厚い排泄部中高領域とを有しており、
前記排泄部中高領域は、前記吸収性コアの長手方向に長い中央肉厚部と、該中央肉厚部の長手方向に沿う両側縁それぞれから外方に膨出する側方肉厚部とを有する、吸収性物品。
＜２＞  前記中央肉厚部が、前記吸収性コアの長手方向の外方に向かって、該吸収性コアの幅方向における長さが漸減する形状である、前記＜１＞記載の吸収性物品。
＜３＞  前記中央肉厚部の形状が、長円状又は楕円状である、前記＜２＞記載の吸収性物品。
＜４＞  前記肌側シートと前記吸収性コアとが圧搾一体化された線状溝として、前記吸収性コアの長手方向に延びる一対の縦溝を有しており、前記縦溝が、前記側方肉厚部を前記長手方向に縦断するように形成されている、前記＜１＞〜＜３＞の何れか１つに記載の吸収性物品。
＜５＞  前記吸収性物品が一対のウイング部を有しており、前記排泄部対向部が、前後方向において一対のウィング部を有する領域であって、前記側方肉厚部が、前記排泄部対向内に存在する、前記＜１＞〜＜４＞の何れか１つに記載の吸収性物品。
＜６＞  前記側方肉厚部が、前記吸収性コアの幅方向の外方に向かって、該吸収性コアの長手方向における長さが減少する形状である、前記＜１＞〜＜５＞の何れか１つに記載の吸収性物品。
＜７＞  前記側方肉厚部が台形形状である前記＜６＞に記載の吸収性物品。
＜８＞  前記吸収性コアの長手方向における、前記側方肉厚部の中央位置が、該長手方向における、前記中央肉厚部の中央位置より前方に位置する、前記＜１＞〜＜７＞の何れか１つに記載の吸収性物品。
＜９＞  前記中央肉厚部と前記側方肉厚部の長手方向の中心位置間の距離は、中央肉厚部の全長の３％以上４０％以下である、前記＜８＞記載の吸収性物品。
＜１０＞  前記側方肉厚部の坪量が、前記中央肉厚部の坪量より小さく、前記標準吸収領域の坪量より大きい、前記＜１＞〜＜９＞の何れか１つに記載の吸収性物品。
【００５８】
＜１１＞  前記中央肉厚部と前記側方肉厚部との間に、前記中央肉厚部及び前記側方肉厚部の何れの坪量よりも坪量が低い低坪量の溝部が形成されている、前記＜１＞〜＜１０＞の何れか１つに記載の吸収性物品。
＜１２＞  前記側方肉厚部の厚みが、前記中央肉厚部の厚みより小さく、前記標準吸収領域の厚みより大きい、前記＜１＞〜＜１１＞の何れか１つに記載の吸収性物品。
＜１３＞  前記排泄部中高領域は、幅方向中心部から両側部方向に向かって厚みが薄くなる傾斜を有している前記＜１＞〜＜１２＞の何れか１つに記載の吸収性物品。
＜１４＞  前記中央肉厚部の厚みは、前記標準吸収領域の厚みの１５０％以上５００％以下である前記＜１＞〜＜１３＞の何れか１つに記載の吸収性物品。
＜１５＞  前記側方肉厚部の厚みは、前記標準吸収領域の厚みの１２０％以上２００％以下である前記＜１＞〜＜１４＞の何れか１つに記載の吸収性物品。
＜１６＞  前記中央肉厚部の厚みは前記側方肉厚部の厚みの１２０％以上３００％以下である前記＜１＞〜＜１５＞の何れか１つに記載の吸収性物品。
＜１７＞  前記中央肉厚部の最大厚み部と前記側方肉厚部の最少厚みの比（前者／後者）は、１．３以上４以下である前記＜１＞〜＜１６＞の何れか１つに記載の吸収性物品。
＜１８＞  前記側方肉厚部の長手方向における全長は中央肉厚部の全長の１０％以上８０％以下である、前記＜１＞〜＜１７＞の何れか１つに記載の吸収性物品。
＜１９＞  前記ウイング部の幅方向先端部と前記側方肉厚部の幅方向先端部が長手方向で一致している前記＜５＞〜＜１８＞の何れか１つに記載の吸収性物品。
＜２０＞  前記ウイング部が長手方向に対称形であり、前記側方肉厚部の幅方向縁部の先端部分が、ウイング部の長手方向の中心位置に位置する前記＜１９＞記載の吸収性物品。
＜２１＞  前記側部肉厚部に設けられた表面シートと吸収体を圧搾一体化する前記縦溝の幅方向外側に、前記低坪量の溝が配されている前記＜４＞〜＜２０＞の何れか１つに記載の吸収性物品。
＜２２＞  前記縦溝の外方の低坪量の溝は、前記標準吸収部に設けられている前記＜２１＞に記載の吸収性物品。
＜２３＞  前記排泄部対向部の幅方向両側には、長手方向に沿って、着用者の肌側へ起立する立体ガードが配されている前記＜１＞〜＜２２＞の何れか１つに記載の吸収性物品。
＜２４＞  前記立体ガードは前記後方部に起立しない非起立領域を有し、前記排泄部中高領域の存在領域においては起立するようになされている前記＜２３＞に記載の吸収性物品。
＜２５＞  前記吸収性物品が全長３０ｃｍ以上の生理用ナプキンである前記＜１＞〜＜２４＞の何れか１つに記載の吸収性物品。
【符号の説明】
【００５９】
１  生理用ナプキン（吸収性物品）
２  肌側シート
２ａ  表面シート
２ｂ  立体ガード形成用シート
３  非肌側シート
４  吸収性コア
４０  排泄部中高領域
４１  中央肉厚部
４４，４６  溝部
４５  小吸収部
４２  側方肉厚部
４７  溝部
４８  小吸収部
４３  標準吸収領域
４９  後方中高領域
５０  中間領域
５３  中央肉厚部と側方肉厚部との間の溝部
５９  連続層
６  吸収性本体
６０  線状溝
６１  縦溝
６４  中間横溝
７  ウイング部
８  後方フラップ部
１０  立体ガード
１１  前方隆起部
１２  後方隆起部
Ａ  前方部
Ｂ  液排泄部対向部
Ｃ  後方部
【図１】
2015097716.tif 000003
【図２】
2015097716.tif 000004
【図３】
2015097716.tif 000005
【図４】
2015097716.tif 000006
【図５】
2015097716.tif 000007
【図６】
2015097716.tif 000008
【図７】
2015097716.tif 000009